(57)【要約】      （修正有）【課題】合成樹脂からなる薄型の板を洗浄する場合に、洗浄物が薄くても、皺になったり、折れ曲がったりして破損させることがない洗浄器を提供する。【解決手段】モーター1の駆動力をカムに伝え、一辺を回転自在に固定した受板８を回転自在に固定して相対する他辺の下部に前記カムを設けて前記受板８の他辺を上下動可能にし、前記受板８の他辺の上方にはモーター１の駆動力で回転する送りローラー９を設けて、前記受板８が上方に位置した際に洗浄物を洗浄部へ送り込んで洗浄部の下方に洗浄液を配して洗浄物を洗浄する洗浄器において、上下洗浄ローラー２のどちらか一方に摩擦が変化すると周速変化するトルクリミッターを設ける。【選択図】図４
2006102673.tif 000002
【特許請求の範囲】
【請求項１】
モーターの駆動力を昇降機構に伝え、一辺を回転自在に固定した受板を回転自在に固定して相対する他辺の下部に前記昇降機構を設けて前記受板の他辺を上下動可能にし、前記受板の他辺の上方にはモーターの駆動力で回転する送りローラーを設けて、前記受板が上方に位置した際に洗浄物を洗浄部へ送り込んで洗浄部の下方に洗浄液を配して洗浄物を洗浄する洗浄器において、洗浄部には軸心に洗浄液を吸収できる発泡体を被装した洗浄ローラーを上下に配して、前記上下洗浄ローラーの組み合わせを２組以上設け、上下洗浄ローラーのどちらか一方に摩擦が変化すると周速変化するトルクリミッターを設けて洗浄物を洗浄可能としたことを特徴とした洗浄器。
【請求項２】
摩擦が変化すると停止するトルクリミッターを配したことを特徴とする請求項１に記載した洗浄器。
【発明の詳細な説明】
【技術分野】
【０００１】
本願発明は、合成樹脂からなる板の洗浄を行う洗浄器に関するものである。
特には、クレジットカード、リライタブルシート、ＩＣタグ、ＩＣカード等の薄型の板の洗浄に関する発明である。このとき洗浄には回転するローラーを用いるものに関する発明である。
【背景技術】
【０００２】
従来から市場では多くのカードが使用されてきており、最近では多種多様なカードが使用されている。特にクレジットカード、リライタブルシート、ＩＣタグ、ＩＣカード等の薄型の機能性のあるカードが増えてきており、汚れたカードであると読み取りにくいといった問題が多々存在する。また、こうしたカードだけではなく合成樹脂からなる板やガラス板、金属板、ホワイトボード等に情報（文字や絵等）を記載して情報伝達に使用する場合も多く存在する。
【０００３】
これら板状のものを綺麗にまた、再利用可能にする為に従来より多くの出願が存在し、特に板の洗浄に関する発明としては、特開平９−１３６０６８号（以下、（イ）とする。）、特開昭５８−１４９８４号（以下、（ロ）とする。）、特開平７−１１４６１４号（以下、（ハ）とする。）、実開昭６０−７９５９１号（以下、（二）とする。）、実開昭６３−３９４８４号（以下、（ホ）とする。）、特開平１０−８５６５８号（以下、（へ）とする。）が先願として存在する。
【０００４】
（イ）については、本発明と一部同一の出願人による出願であって、洗浄ローラーと輸送ローラーの径を変えて、周速を早くして輸送ローラーとその速度を異にしており、洗浄ローラーを早く回転し洗浄物特にカードの表面を空転させ洗浄するものである。
こうしたカード洗浄器は、洗浄ローラーと輸送ローラーが同一回転方向で周速のみを異にしているので洗浄物（カード等）を早く送りすぎて綺麗に洗浄できないといった問題がある。
【０００５】
（ロ）については、洗浄液を吹き付けるタイプの発明であり、ブラシ付コロで板状物質の汚れを除去するタイプである。特に転送コロと同方向に回転するブラシ付コロによって汚れを除去するであるので本発明とは構成を全く異にしている。
（ハ）は、駆動ローラー、従動ローラーと共にクリーニングローラー１２が回転するが、このクリーニングローラー１２には回転防止機構が備えているとの記載がある。しかし実際のクリーニングの作用の記載が回転防止機構とどのような関係にあるのかまたどのような回転防止機構かが不明であり推測も不可能である。
よって、本発明と構成を異にしている。
【０００６】
（二）は、洗浄ローラーでしかも材質をウレタンとしており、更にローラーの下部に洗剤槽が設けられ、洗浄ローラーに洗浄液を供給している。
しかし、洗浄ローラーと共に設けられた送りローラーと同一の回転方向であるので本発明と構成を全く異にしている。特に（二）に使用している洗浄ローラーは、明細書記載にもあるように「板ガラス面に洗剤を塗布しつつ褶擦する」と有るように本発明の構成とは全く異にしている。
【０００７】
（ホ）は、同様の洗浄ローラーであり洗浄ローラーと送りローラーによりカンバンの清掃を行う清掃機の出願である。特には、送りローラーより遅い洗浄ローラーによりカンバンを洗浄するものである。
【０００８】
（へ）はカード洗浄器であるが特には感熱式でカードに書き込まれたデーターを洗浄と共に消去する構成である。ここで洗浄ローラーは、特に記載はないが輸送ローラーと同方向に回転することが明細書より明らかである。
以上のような従来技術であるが次のような問題点が存在する。
特に薄型の板（洗浄物）の場合、輸送ローラーと洗浄ローラーの回転が初期より速い場合（（イ）のような場合）は、洗浄ローラーがありその両サイドに輸送ローラーが存在することから、輸送ローラーから洗浄ローラーへの清掃物の受け渡しはスムーズに行えるが、
洗浄ローラーから直ぐ後方の輸送ローラーで洗浄物が薄いがゆえに皺になったり、詰ったりしてスムーズに流れないといった問題がある。
【０００９】
また、輸送ローラーと洗浄ローラーの回転が初期から反対の場合も同様に、洗浄ローラーから輸送ローラーへの薄型の板（洗浄物）の移行がスムーズに行われず洗浄物が詰ったり、折れ曲がったり、破損したりする。
更に、洗浄ローラーが初期より回転しない場合も同様である。従って特に（ハ）はクリーニングローラーの詳細な動きが記載されてなく、記載されている構成から推測すると初期より回転せず止まった状態である。従ってこれら先願は、薄型の板（洗浄物）を洗浄しようとすると洗浄ローラーにうまく挿入しなかったり、洗浄ローラーから次の送りローラーに送られる際に回転数が異なるため上手く送られなかったりする。
【００１０】
【特許文献１】特開平９−１３６０６８号
【特許文献２】特開昭５８−１４９８４号
【特許文献３】特開平７−１１４６１４号
【特許文献４】実開昭６０−７９５９１号
【特許文献５】実開昭６３−３９４８４号
【特許文献６】特開平１０−８５６５８号
【発明の開示】
【発明が解決しようとする課題】
【００１１】
以上のように従来は、洗浄ローラーや送りローラーの同方向で周速が異なるものや、初期より異なる方向に回転しているものや、初期より洗浄ローラーを止めているものは、洗浄ローラーへのスムーズな薄型の板（洗浄物）を送ることが出来ないことや、洗浄物が薄いために皺になったり、折れ曲がったりして洗浄物を破損させることから洗浄器としての用を供さないといった課題がある。
【課題を解決するための手段】
【００１２】
モーターの駆動力を昇降機構に伝え、一辺を回転自在に固定した受板の前記固定された辺と相対する他辺の下部に前記昇降機構を設けて前記受板を上下動可能にし、前記受板の他辺の上方にはモーターの駆動力で回転する送りローラーを設けて、前記受板が上方に位置した際に洗浄物を洗浄部へ送り込んで洗浄部の下方に洗浄液を配して洗浄物を洗浄する洗浄器において、洗浄部には軸心に洗浄液を吸収できる発泡体を被装した洗浄ローラーを上下に配して、前記上下洗浄ローラーの組み合わせを２組以上設け、上下洗浄ローラーのどちらか一方に摩擦が変化すると周速変化するトルクリミッターを設け、こうして上洗浄ローラーにトルクリミッターが設けられたとしたら、次の上下洗浄ローラーには下洗浄ローラーにトルクリミッターを設けて洗浄物を洗浄可能としたことを特徴とし、また摩擦が変化すると停止するトルクリミッターを配したことを特徴とした洗浄器である。
【発明の効果】
【００１３】
本発明は、常時は洗浄ローラーと送りローラーは同方向で同スピードの周速を有しており、洗浄物を送りローラーから洗浄ローラーへ挿入すると洗浄物のシート表面の摩擦力の低下よりトルクリミッターが作用し、上下どちらかにトルクリミッターが装着されている洗浄ローラーが停止し、装着されていない洗浄ローラーで送り、後方の送りローラーに挿入されて送られていく。
こうした構成であるので、上下洗浄ローラーは、洗浄物の先端が前記上下洗浄ローラー間に挿入されて、初めて停止もしくは周速変化するので上下洗浄ローラーへの挿入時に洗浄物を破損したり、皺になったりすることなく、スムーズな洗浄物の送りが可能となる。
こうして洗浄物の表裏２面が綺麗に洗浄できる。
【発明を実施するための最良の形態】
【００１４】
モーターの駆動力をカムに伝え、一辺を回転自在に固定した受板を回転自在に固定して相対する他辺の下部に前記カムを設けて前記受板の他辺を上下動可能にし、前記受板の他辺の上方にはモーターの駆動力で回転する送りローラーを設けて、前記受板が上方に位置した際に洗浄物を洗浄部へ送り込んで洗浄部の下方に洗浄液を配して洗浄物を洗浄する洗浄器において、洗浄部には軸心に洗浄液を吸収できる吸蔵体を被装した洗浄ローラーを上下に配して、前記上下洗浄ローラーの組み合わせを２組以上設け、上下洗浄ローラーのどちらか一方に摩擦が変化すると周速変化するトルクリミッターを１組の上下洗浄ローラーのうちどちらか一方に設け、こうして上洗浄ローラーにトルクリミッターが設けられたとしたら、次の上下洗浄ローラーには下洗浄ローラーにトルクリミッターを交互に設けて洗浄物を洗浄可能としたことを特徴とした洗浄器である。
【実施例１】
【００１５】
本発明の実施例を図１、図２、図３、図４、図５、図６、図７より詳細に説明する。
１は、モーターであり、駆動機構を介して洗浄ローラー２の軸３に設けられた駆動歯車４と送りローラー５の軸６に設けられた駆動歯車７により常時は同方向、同じ回転速度で回転している。
２は、洗浄ローラーであり、軸３と前記軸３の周りには連続多孔質の発泡体１０を被装して、洗浄液を吸蔵可能としている。
前記洗浄ローラーは上下２本の洗浄ローラーで１組としており、上下どちらかの洗浄ローラー２Ａ、２Ｂの軸３の両端を弾発部材で下方に弾発支持している。こうして、上下洗浄ローラー２を圧着している。
本発明は上洗浄ローラー２を弾発支持しているが上下どちらか１方又は両方の洗浄ローラーの軸３に設けられていてもよい。また更に、１組の上下洗浄ローラーを３組設けている。
【００１６】
更に前記軸３のうち数個には駆動歯車４を固定するピン１１を設けておらず、前記軸３の駆動歯車４を設けた側と反対側にトルクリミッター１２を設けて、前記トルクリミッター１２により上下洗浄ローラーの摩擦力が低下した場合に軸３の回転を止めている。
また残りの洗浄ローラー２にはピン１１により駆動歯車４と軸３を連結しており常にモーター１からの駆動力を伝達して前記のピン１１を有する洗浄ローラー２を回転させている。
【００１７】
５は、送りローラーであり、本実施例は軸３に連続多孔質の発泡体１０を被装しているが、軸３の被装物質は、ゴム材質、熱可塑性物質のものでもよく、洗浄物を送ることが可能であればよい。本発明の実施例は、上下に送りローラー５Ａ、５Ｂを配したものを１組として設けており、この１組の送りローラー５を洗浄物挿入側に１組、排出側に２組設けている。
前記１組の送りローラー５Ａ、５Ｂの数は、適宜選択して設けることができる。
前記送りローラー５は、ピン１１により軸６と駆動歯車７を連結して送りローラー５を回転させている。また軸６には、上下送りローラー５のうち上送りローラー５Ａの両側には弾発部材を設けて、上送りローラー５Ａを下方に押圧している。こうして上下送りローラーが圧着されている。
【００１８】
本発明は上送りローラー５Ａを弾発支持しているが上下どちらか１方又は両方の送りローラーの軸６に設けられていてもよい。
また、本実施例は図３にあるように上下の送りローラーを３組、上下洗浄ローラーを３組設け下送りローラー、下洗浄ローラーの駆動歯車４と７にかみ合いモーター１の回転力を伝達する伝達歯車１５を５個設けている。この伝達歯車１５は上下送りローラー、上下洗浄ローラーが増えれば多くなる。
【００１９】
８は、板状の受板であり四辺のうち一辺を回転自在に固定し、この一辺と相対する他辺の上方には、送り部材９により洗浄物を送り出す。前記回転自在に固定する辺は、送りローラーや洗浄ローラーを配する最も遠い辺である。
このとき、受板８は一辺を中心に一部回転運動を行い、積層された洗浄物を１枚づつ順次送り部材９が拾って送り出す。
受板８の下方に前記受板８を回転させ、送り部材９に向かって押し付ける昇降機構１７が配置されている。前記昇降機構１７はモーター１の回転力を伝えることで作動させている。
前記送り部材９は、ゴム製のローラーであり洗浄物を押し付けられれば１枚を拾って送ることが出来る。
従って本発明では、回転可能に固定する側は送りローラー５を設けた側と反対側に設けている。
【００２０】
１２は、トルクリミッターであり、本実施例の第１のトルクリミッター１２は、回転時の摩擦力が減少した際に回転数を減少させる。また、本実施例の第２はトルクリミッター１２Ｂも使用可能であり、回転時の摩擦力が減少すると停止する機能を有するものである。
１３は、は洗浄部材であり、箱状の洗浄トレー、洗浄液、そして洗浄液に浸したローラーから構成されており、ローラーから洗浄液を洗浄ローラー２へ伝達できるものである。
従って、ローラーは洗浄ローラー２と同様な構成と素材を用いている。
１４は、収容受部であり、最後の送りローラー５から送られた洗浄物を受け取るものである。
１６は、駆動機構で数枚の歯車によりもうターの回転力を伝達歯車１５に伝達する。
【００２１】
次に本発明の作用について詳細に述べる。
洗浄物が受板８に積層されており、受板８の回転運動による送り部材９への押し付けにより洗浄物を１枚拾い上げて、送りローラー５に向かって送ることが出来る。
本実施例は上下の送りローラー５を１組配しており、これら送りローラー５により送られる。
【００２２】
そして、洗浄物の先端が最初の洗浄ローラー２に送られる。すると、洗浄物の表面に洗浄液が付着して洗浄ローラー２の回転トルクが減少変化する。
特に表面がフラットな洗浄物については有効である。
すると、回転トルクが減少したら作用するトルクリミッター１２により前記トルクリミッター１２を有する洗浄ローラー２の回転を減少もしくは停止させる。こうして洗浄物の片面を洗浄する。
洗浄ローラー２の停止の場合は、送りローラー５およびその他の洗浄ローラー２が同一回転速度で回転しているため止まった洗浄ローラー２で洗浄可能となる。
洗浄ローラー２の回転速度減少の場合は、送りローラー５およびその他の洗浄ローラー２が同一回転速度している為、その回転差により洗浄可能としている。
【００２３】
こうしてトルクリミッター１２を上下の洗浄ローラー２に対し上下交互に設けて、洗浄物の表裏両面を洗浄可能としている。
従って、上下洗浄ローラー２の組み合わせ数次第で洗浄効果を上げることができる。
そして洗浄物の最終端が上下洗浄ローラーを通過し上下洗浄ローラー同士の正規の回転トルクになると、同一回転速度で上下洗浄ローラーが回転をする。
こうしたことにより、洗浄物は汚れを落すための洗浄ローラー２により詰ったり、皺になったり、破損しせず綺麗に洗浄可能となる。
【図面の簡単な説明】
【００２４】
【図１】本発明の実施例の洗浄器の全体図
【図２】本発明の実施例の洗浄器の洗浄ローラーと送りローラーの平面説明図
【図３】本発明の実施例の駆動部分の略説明図
【図４】本発明の実施例の昇降機構の略説明図
【図５】本発明の実施例のトルクリミッターの配置説明図
【図６】本発明の実施例の洗浄ローラーとピンの説明図
【図７】本発明の実施例の洗浄ローラーのトルクリミッター側と反対側の略説明図
【符号の説明】
【００２５】
１  ：モーター
２  ：洗浄ローラー
３  ：軸
４  ：駆動歯車
５  ：送りローラー
６  ：軸
７  ：駆動歯車
８  ：受板
９  ：送り部材
１０  ：発泡体
１１  ：ピン
１２  ：トルクリミッター
１３  ：洗浄部材
１４  ：収容受部
１５  ：伝達歯車
１６  ：駆動機構
１７  ：昇降機構
【図１】
2006102673.tif 000003
【図２】
2006102673.tif 000004
【図３】
2006102673.tif 000005
【図４】
2006102673.tif 000006
【図５】
2006102673.tif 000007
【図６】
2006102673.tif 000008
【図７】
2006102673.tif 000009